(57)【要約】【課題】  プレゼンスサービスシステムの用途を広げることを可能にする状態通知者端末装置および状態情報登録サーバを提供する。【解決手段】  登録情報受付部１２１は、登録者端末装置４００から第三者情報、第三者識別情報および項目情報を受け付けると、第三者識別情報を登録者管理部１２２へ、項目情報を公開プレゼンス項目管理部１２３へ出力する。登録者管理部１２２と公開プレゼンス項目管理部１２３は、それら情報に基づいて、第三者情報をプレゼンス情報管理部１１０に格納するか否かを判定する。登録情報受付部１２１は、登録者管理部１２２と公開プレゼンス項目管理部１２３が第三者情報をプレゼンス情報管理部１１０に格納すると判定すると、第三者情報と項目情報を情報登録部１２４に出力して、第三者情報をその項目情報の項目の状態通知者のプレゼンス情報としてプレゼンス情報管理部１１０に格納する。【選択図】      図１
2006343837.tif 000002
【特許請求の範囲】
【請求項１】
状態通知者に関するプレゼンス情報を出力しかつ前記状態通知者と異なる登録者にて使用される登録者端末装置と接続される状態通知者端末装置であって、
前記プレゼンス情報を格納する情報管理部と、
前記登録者端末装置からの前記プレゼンス情報を受け付ける情報受付部と、
前記情報受付部が前記プレゼンス情報を受け付けると、該プレゼンス情報を前記情報管理部に格納する情報登録部と、を含む状態通知者端末装置。
【請求項２】
請求項１に記載の状態通知者端末装置において、
前記情報受付部にて受け付けられたプレゼンス情報を前記情報管理部に格納するか否かを判定する判定部をさらに含み、
前記情報登録部は、前記プレゼンス情報を前記情報管理部に格納すると前記判定部が判定すると、前記プレゼンス情報を前記情報管理部に格納する、状態通知者端末装置。
【請求項３】
請求項２に記載の状態通知者端末装置において、
前記登録者端末装置は、該登録者端末装置の使用者を識別するための使用者識別情報をさらに出力し、
前記情報受付部は、前記使用者識別情報をさらに受け付け、
前記判定部は、前記プレゼンス情報を前記情報管理部に格納するか否かを、前記情報受付部にて受け付けられた使用者識別情報に基づいて判定する登録者管理部を含む、状態通知者端末装置。
【請求項４】
請求項２に記載の状態通知者端末装置において、
前記情報管理部は、前記プレゼンス情報を項目ごとに格納し、
前記登録者端末装置は、前記プレゼンス情報の項目を示す項目情報をさらに出力し、
前記情報受付部は、前記項目情報をさらに受け付け、
前記判定部は、前記プレゼンス情報を前記情報管理部に格納するか否かを、前記情報受付部にて受け付けられた項目情報に基づいて判定する項目管理部を含み、
前記情報登録部は、前記プレゼンス情報を前記情報管理部に格納すると前記項目管理部が判定すると、前記プレゼンス情報を、前記項目情報にて示された項目のプレゼンス情報として、前記情報管理部に格納する、状態通知者端末装置。
【請求項５】
請求項２に記載の状態通知者端末装置において、
前記判定部は、前記プレゼンス情報を前記情報管理部に格納するか否かを、前記情報受付部が受け付けたプレゼンス情報にて示される内容に基づいて判定するデータ内容情報管理部を含む、状態通知者端末装置。
【請求項６】
請求項２に記載の状態通知者端末装置において、
前記判定部は、前記プレゼンス情報を前記情報管理部に格納するか否かを、前記情報管理部にて格納されているプレゼンス情報に基づいて判定する登録情報管理部を含む、状態通知者端末装置。
【請求項７】
請求項２に記載の状態通知者端末装置において、
前記情報管理部は、前記プレゼンス情報を項目ごとに格納し、
前記登録者端末装置は、前記プレゼンス情報の項目を示す項目情報と、該登録者端末装置の使用者を識別するための使用者識別情報とを、さらに出力可能であり、
前記情報受付部は、前記項目情報および前記使用者識別情報をさらに受け付け可能であり、
前記判定部は、前記受け付けられた使用者識別情報に基づく前記プレゼンス情報を格納するか否かの判定と、前記受け付けられた項目情報に基づく前記プレゼンス情報を格納するか否かの判定と、前記受け付けられたプレゼンス情報にて示される内容に基づく前記プレゼンス情報を格納するか否かの判定と、前記格納されているプレゼンス情報に基づく前記プレゼンス情報を格納するか否かの判定とを、任意に組み合わせて、前記プレゼンス情報を格納するか否かを判定する、状態通知者端末装置。
【請求項８】
状態通知者に関するプレゼンス情報を出力しかつ前記状態通知者と異なる登録者にて使用される登録者端末装置と接続されるとともに前記プレゼンス情報を格納する状態通知者端末装置が行う情報登録管理方法であって、
前記登録者端末装置から前記プレゼンス情報を受け付ける情報受付ステップと、
前記プレゼンス情報が受け付けられると、該プレゼンス情報を格納する情報登録ステップと、を含む情報登録管理方法。
【請求項９】
請求項８に記載の情報登録管理において、
2  前記プレゼンス情報を格納するか否かを判定する判定ステップをさらに含み、
前記情報登録ステップでは、前記プレゼンスを格納すると判定されると、前記プレゼンス情報を格納する、情報登録管理方法。
【請求項１０】
請求項９に記載の情報登録管理方法において、
前記登録者端末装置は、該登録者端末装置の使用者を識別するための使用者識別情報をさらに出力し、
前記使用者識別情報を受け付ける使用者識別情報受付ステップをさらに含み、
前記判定ステップでは、前記プレゼンス情報を格納するか否かを、前記受け付けられた使用者識別情報に基づいて判定する、情報登録管理方法。
【請求項１１】
請求項９に記載の情報登録管理方法において、
前記状態通知者端末装置は、前記プレゼンス情報を項目ごとに格納し、
前記登録者端末装置は、前記プレゼンス情報の項目を示す項目情報をさらに出力し、
前記項目情報を受け付ける項目情報受付ステップをさらに含み、
前記判定ステップでは、前記プレゼンス情報を格納するか否かを、前記受け付けられた項目情報に基づいて判定し、
前記情報登録ステップでは、前記プレゼンス情報を格納すると判定されると、前記プレゼンス情報を、前記項目情報にて示された項目のプレゼンス情報として格納する、情報登録管理方法。
【請求項１２】
請求項９に記載の情報登録管理方法において、
前記判定ステップでは、前記プレゼンス情報を格納するか否かを、前記受け付けられたプレゼンス情報にて示される内容に基づいて判定する、情報登録管理方法。
【請求項１３】
請求項９に記載の情報登録管理方法において、
前記判定ステップでは、前記プレゼンス情報を格納するか否かを、前記状態通知者端末装置にて格納されているプレゼンス情報に基づいて判定する、情報登録管理方法。
【請求項１４】
請求項９に記載の情報登録管理方法において、
前記状態通知者端末装置は、前記プレゼンス情報を項目ごとに格納し、
前記登録者端末装置は、前記プレゼンス情報の項目を示す項目情報と、前記登録者端末装置の使用者を識別するための使用者識別情報とを、さらに出力可能であり、
前記受付ステップでは、前記項目情報および前記使用者識別情報をさらに受け付け可能であり、
前記判定ステップでは、前記受け付けられた使用者識別情報に基づく前記プレゼンス情報を格納するか否かの判定と、前記受け付けられた項目情報に基づく前記プレゼンス情報を格納するか否かの判定と、前記受け付けられたプレゼンス情報にて示される内容に基づく前記プレゼンス情報を格納するか否かの判定と、前記格納されているプレゼンス情報に基づく前記プレゼンス情報を格納するか否かの判定とを、任意に組み合わせて、前記プレゼンス情報を格納するか否かを判定する、情報登録管理方法。
【請求項１５】
状態通知者に関するプレゼンス情報を格納する情報管理部と、前記プレゼンス情報を出力しかつ前記状態通知者と異なる登録者にて使用される登録者端末装置と、に接続される情報登録管理サーバであって、
前記登録者端末装置から前記プレゼンス情報を受け付ける情報受付部と、
前記情報受付部が前記プレゼンス情報を受け付けると、その受け付けられたプレゼンス情報を前記情報管理部に格納する情報登録部と、を含む情報登録管理サーバ。
【請求項１６】
請求項１５に記載の情報登録管理サーバにおいて、
前記情報受付部にて受け付けられたプレゼンス情報を前記情報管理部に格納するか否かを判定する判定部をさらに含み、
前記情報登録部は、前記プレゼンス情報を前記情報管理部に格納すると前記判定部が判定すると、前記プレゼンス情報を前記情報管理部に格納する、情報登録管理サーバ。
【請求項１７】
請求項１６に記載の情報登録管理サーバにおいて、
前記登録者端末装置は、該登録者端末装置の使用者を識別するための使用者識別情報をさらに出力し、
前記情報受付部は、前記使用者識別情報をさらに受け付け、
前記判定部は、前記プレゼンス情報を前記情報管理部に格納するか否かを、前記情報受付部にて受け付けられた使用者識別情報に基づいて判定する登録者管理部を含む、情報登録管理サーバ。
【請求項１８】
請求項１６に記載の情報登録管理サーバにおいて、
前記情報管理部は、前記プレゼンス情報を項目ごとに格納し、
前記登録者端末装置は、前記プレゼンス情報の項目を示す項目情報をさらに出力し、
前記情報受付部は、前記項目情報をさらに受け付け、
前記判定部は、前記プレゼンス情報を前記情報管理部に格納するか否かを、前記情報受付部にて受け付けられた項目情報に基づいて判定する項目管理部を含み、
前記情報登録部は、前記プレゼンス情報を前記情報管理部に格納すると前記項目管理部が判定すると、前記プレゼンス情報を、前記項目情報にて示された項目のプレゼンス情報として、前記情報管理部に格納する、情報登録管理サーバ。
【請求項１９】
請求項１６に記載の情報登録管理サーバにおいて、
前記判定部は、前記プレゼンス情報を前記情報管理部に格納するか否かを、前記情報受付部が受け付けたプレゼンス情報にて示される内容に基づいて判定するデータ内容情報管理部を含む、情報登録管理サーバ。
【請求項２０】
請求項１６に記載の情報登録管理サーバにおいて、
前記判定部は、前記プレゼンス情報を前記情報管理部に格納するか否かを、前記情報管理部にて格納されているプレゼンス情報に基づいて判定する登録情報管理部を含む、情報登録管理サーバ。
【請求項２１】
請求項１６に記載の情報登録管理サーバにおいて、
前記情報管理部は、前記プレゼンス情報を項目ごとに格納し、
前記登録者端末装置は、前記プレゼンス情報の項目を示す項目情報と、該登録者端末装置の使用者を識別するための使用者識別情報とを、さらに出力可能であり、
前記情報受付部は、前記項目情報および前記使用者識別情報をさらに受け付け可能であり、
前記判定部は、前記受け付けられた使用者識別情報に基づく前記プレゼンス情報を格納するか否かの判定と、前記受け付けられた項目情報に基づく前記プレゼンス情報を格納するか否かの判定と、前記受け付けられたプレゼンス情報にて示される内容に基づく前記プレゼンス情報を格納するか否かの判定と、前記格納されているプレゼンス情報に基づく前記プレゼンス情報を格納するか否かの判定とを、任意に組み合わせて、前記プレゼンス情報を格納するか否かを判定する、情報登録管理サーバ。
【請求項２２】
状態通知者のプレゼンス情報を格納する情報管理部と、前記プレゼンス情報を出力しかつ前記状態通知者と異なる登録者にて使用される登録者端末装置と、に接続される情報登録管理サーバが行う情報登録管理方法であって、
前記登録者端末装置から前記プレゼンス情報を受け付ける情報受付ステップと、
前記プレゼンス情報が受け付けられると、該プレゼンス情報を前記情報管理部に格納する情報登録ステップと、を含む情報登録管理方法。
【請求項２３】
請求項２２に記載の情報登録管理方法において、
前記プレゼンス情報を前記情報管理部に格納するか否かを判定する判定ステップをさらに含み、
前記情報登録ステップでは、前記プレゼンスを前記情報管理部に格納すると判定されると、前記プレゼンス情報を前記情報管理部に格納する、情報登録管理方法。
【請求項２４】
請求項２３に記載の情報登録管理方法において、
前記登録者端末装置は、該登録者端末装置の使用者を識別するための使用者識別情報をさらに出力し、
前記使用者識別情報を受け付ける使用者識別情報受付ステップをさらに含み、
前記判定ステップでは、前記プレゼンス情報を前記情報管理部に格納するか否かを、前記受け付けられた使用者識別情報に基づいて判定する、情報登録管理方法。
【請求項２５】
請求項２３に記載の情報登録管理方法において、
前記情報管理部は、前記プレゼンス情報を項目ごとに格納し、
前記登録者端末装置は、前記プレゼンス情報の項目を示す項目情報をさらに出力し、
前記項目情報を受け付ける項目情報受付ステップをさらに含み、
前記判定ステップでは、前記プレゼンス情報を前記情報管理部に格納するか否かを、前記受け付けられた項目情報に基づいて判定し、
前記情報登録ステップでは、前記プレゼンス情報を前記情報管理部に格納すると判定されると、前記プレゼンス情報を、前記項目情報にて示された項目のプレゼンス情報として前記情報管理部に格納する、情報登録管理方法。
【請求項２６】
請求項２３に記載の情報登録管理方法において、
前記判定ステップでは、前記プレゼンス情報を前記情報管理部に格納するか否かを、前記受け付けられたプレゼンス情報にて示される内容に基づいて判定する、情報登録管理方法。
【請求項２７】
請求項２３に記載の情報登録管理方法において、
前記判定ステップでは、前記プレゼンス情報を前記情報管理部に格納するか否かを、前記情報管理部にて格納されているプレゼンス情報に基づいて判定する、情報登録管理方法。
【請求項２８】
請求項２３に記載の情報登録管理方法において、
前記情報管理部は、前記プレゼンス情報を項目ごとに格納し、
前記登録者端末装置は、前記プレゼンス情報の項目を示す項目情報と、前記登録者端末装置の使用者を識別するための使用者識別情報とを、さらに出力可能であり、
前記受付ステップでは、前記項目情報および前記使用者識別情報をさらに受け付け可能であり、
前記判定ステップでは、前記受け付けられた使用者識別情報に基づく前記プレゼンス情報を前記情報管理部に格納するか否かの判定と、前記受け付けられた項目情報に基づく前記プレゼンス情報を前記情報管理部に格納するか否かの判定と、前記受け付けられたプレゼンス情報にて示される内容に基づく前記プレゼンス情報を前記情報管理部に格納するか否かの判定と、前記格納されているプレゼンス情報に基づく前記プレゼンス情報を前記情報管理部に格納するか否かの判定とを、任意に組み合わせて、前記プレゼンス情報を前記情報管理部に格納するか否かを判定する、情報登録管理方法。
【請求項２９】
状態通知者のプレゼンス情報を格納する情報管理部と、前記プレゼンス情報を出力しかつ前記状態通知者と異なる登録者にて使用される登録者端末装置と、に接続されるコンピュータに、情報登録管理処理を実行させるプログラムであって、
前記登録者端末装置から前記プレゼンス情報を受け付ける情報受付処理と、
前記プレゼンス情報が受け付けられると、その受け付けられたプレゼンス情報を、前記情報管理部に格納する情報登録処理と、を含む情報登録管理処理を、前記コンピュータに実行させるプログラム。
【請求項３０】
状態通知者のプレゼンス情報を格納する状態通知者端末装置と、前記状態通知者端末装置と接続されるとともに前記プレゼンス情報を出力しかつ前記状態通知者と異なる登録者にて使用される登録者端末装置と、を含む情報登録管理システムであって、
前記状態通知者端末装置は、
前記プレゼンス情報を格納する情報管理部と、
前記登録者端末装置からの前記プレゼンス情報を受け付ける情報受付部と、
前記情報受付部が前記プレゼンス情報を受け付けると、該プレゼンス情報を前記情報管理部に格納する情報登録部と、を含む、情報登録管理システム。
【請求項３１】
状態通知者のプレゼンス情報を格納する状態通知者端末装置と、前記プレゼンス情報を出力しかつ前記状態通知者と異なる登録者にて使用される登録者端末装置と、前記状態通知者端末装置および前記登録者端末装置と接続されたプレゼンス情報登録管理サーバと、を含む情報登録管理システムであって、
前記プレゼンス情報登録管理サーバは、
前記登録者端末装置から前記プレゼンス情報を受け付ける情報受付部と、
前記情報受付部が前記プレゼンス情報を受け付けると、その受け付けられたプレゼンス情報を前記情報管理部に格納する情報登録部と、を含む、情報登録管理システム。
【発明の詳細な説明】
【技術分野】
【０００１】
本発明は、状態通知者端末装置、情報登録管理サーバ、情報登録管理方法、情報登録管理システムおよびプログラムに関し、特には、プレゼンスサービスシステムに利用可能な状態通知者端末装置、情報登録管理サーバ、情報登録管理方法、情報登録管理システムおよびプログラムに関する。
【背景技術】
【０００２】
従来、ユーザの状態を管理するプレゼンスサービスシステムが知られている。
【０００３】
プレゼンスサービスシステムは、状態通知者にて提供されたプレゼンス情報（状態情報）を格納する状態通知者端末装置と、状態通知者端末装置に格納されているプレゼンス情報を取得する監視者端末装置とを含む。
【０００４】
監視者端末装置は、監視対象の状態通知者端末装置を示したバディリストを用いて、監視対象の状態通知者端末装置に格納されているプレゼンス情報を取得する。
【０００５】
また、プレゼンスサービスシステムとしては、プレゼンスサーバを用いた集中管理方式と、プレゼンスサーバを用いない分散管理方式とが知られている。
【０００６】
特許文献１（特開２００２−７４１６５号公報）には、監視者端末装置がプレゼンス情報および広告を状態通知者端末装置から受け付けるプレゼンスサービスシステムが記載されている。なお、この広告は、状態通知者によって設定される。
【特許文献１】特開２００２−７４１６５号公報
【発明の開示】
【発明が解決しようとする課題】
【０００７】
従来のプレゼンスサービスシステムでは、状態通知者端末装置は、状態通知者にて提供されたプレゼンス情報のみを格納する。よって、状態通知者端末装置から提供されるプレゼンス情報は、状態通知者にて提供されることが可能な情報に限られる。
【０００８】
このため、プレゼンスサービスシステムの用途は限られていた。具体的には、プレゼンスサービスシステムは、関係者間だけで情報交換を行う場合に、使用されていた。
【０００９】
近年、プレゼンスサービスシステムの用途を広げるために、プレゼンスサービスシステムの機能を強化することが望まれていた。
【００１０】
本発明の目的は、プレゼンスサービスシステムの用途を広げることを可能にする状態通知者端末装置、情報登録管理サーバ、情報登録管理方法、情報登録管理システムおよびプログラムを提供することである。
【課題を解決するための手段】
【００１１】
上記の目的を達成するために、本発明の状態通知者端末装置は、状態通知者に関するプレゼンス情報を出力しかつ前記状態通知者と異なる登録者にて使用される登録者端末装置と接続される状態通知者端末装置であって、前記プレゼンス情報を格納する情報管理部と、前記登録者端末装置からの前記プレゼンス情報を受け付ける情報受付部と、前記情報受付部が前記プレゼンス情報を受け付けると、該プレゼンス情報を前記情報管理部に格納する情報登録部と、を含む。
【００１２】
また、本発明の情報登録管理方法は、状態通知者に関するプレゼンス情報を出力しかつ前記状態通知者と異なる登録者にて使用される登録者端末装置と接続されるとともに前記プレゼンス情報を格納する状態通知者端末装置が行う情報登録管理方法であって、前記登録者端末装置から前記プレゼンス情報を受け付ける情報受付ステップと、前記プレゼンス情報が受け付けられると、該プレゼンス情報を格納する情報登録ステップとを含む。
【００１３】
また、本発明の情報登録管理サーバは、状態通知者に関するプレゼンス情報を格納する情報管理部と、前記プレゼンス情報を出力しかつ前記状態通知者と異なる登録者にて使用される登録者端末装置と、に接続される状態情報登録サーバであって、前記登録者端末装置から前記プレゼンス情報を受け付ける情報受付部と、前記情報受付部が前記プレゼンス情報を受け付けると、その受け付けられたプレゼンス情報を前記情報管理部に格納する情報登録部とを含む。
【００１４】
また、本発明の情報登録管理方法は、状態通知者のプレゼンス情報を格納する情報管理部と、前記プレゼンス情報を出力しかつ前記状態通知者と異なる登録者にて使用される登録者端末装置と、に接続される情報登録管理サーバが行う情報登録管理方法であって、前記登録者端末装置から前記プレゼンス情報を受け付ける情報受付ステップと、前記プレゼンス情報が受け付けられると、該プレゼンス情報を前記情報管理部に格納する情報登録ステップとを含む。
【００１５】
また、本発明の情報登録管理システムは、状態通知者のプレゼンス情報を格納する状態通知者端末装置と、前記状態通知者端末装置と接続されるとともに前記プレゼンス情報を出力しかつ前記状態通知者と異なる登録者にて使用される登録者端末装置と、を含む状態情報登録システムであって、前記状態通知者端末装置は、前記プレゼンス情報を格納する情報管理部と、前記登録者端末装置からの前記プレゼンス情報を受け付ける情報受付部と、前記情報受付部が前記プレゼンス情報を受け付けると、該プレゼンス情報を前記情報管理部に格納する情報登録部とを含む。
【００１６】
また、本発明の情報登録管理システムは、状態通知者のプレゼンス情報を格納する状態通知者端末装置と、前記プレゼンス情報を出力しかつ前記状態通知者と異なる登録者にて使用される登録者端末装置と、前記状態通知者端末装置および前記登録者端末装置と接続されたプレゼンス情報登録サーバと、を含む情報登録管理システムであって、前記プレゼンス情報登録サーバは、前記登録者端末装置から前記プレゼンス情報を受け付ける情報受付部と、前記情報受付部が前記プレゼンス情報を受け付けると、その受け付けられたプレゼンス情報を前記情報管理部に格納する情報登録部とを含む。
【００１７】
上記各発明によれば、登録者端末装置から出力された情報通知者に関するプレゼンス情報が、情報管理部または状態通知者端末装置に格納される。
【００１８】
このため、登録者端末装置から出力された情報通知者に関するプレゼンス情報が、情報通知者と異なる第三者にて提供された情報であっても、その情報が、情報通知者に関するプレゼンス情報として格納される。その結果、状態通知者のプレゼンス情報が、状態通知者にて提供可能な情報に限られなくなる。
【００１９】
したがって、プレゼンスサービスシステムが上記状態通知者端末装置を含めば、プレゼンスサービスシステムの用途を広げることが可能になる。例えば、第三者にて提供された情報を情報通知者の情報として取り扱うとともにその情報を関係者に通知するシステムとして、プレゼンスサービスシステムを用いることが可能となる。
【００２０】
なお、前記情報受付部にて受け付けられたプレゼンス情報を前記状態通知者端末装置に格納するか否かが判定され、前記プレゼンス情報を前記状態通知者端末装置に格納すると判定されると、前記プレゼンス情報が前記状態通知者端末装置に格納されることが望ましい。
【００２１】
上記の発明によれば、状態通知者端末装置に格納されるプレゼンス情報を限定することが可能となる。このため、不要なプレゼンス情報を格納することを防止可能になる。
【００２２】
また、前記プレゼンス情報を前記状態通知者端末装置に格納するか否かを、前記登録者端末装置から出力された使用者識別情報に基づいて判定することが望ましい。
【００２３】
上記の発明によれば、プレゼンス情報を状態通知者端末装置に格納する者を限定することが可能になる。このため、登録権限のない第三者が状態通知者のプレゼンス情報を登録することを防止可能となる。
【００２４】
また、前記プレゼンス情報を前記状態通知者端末装置に格納するか否かを、前記登録者端末装置から出力された項目情報に基づいて判定することが望ましい。
【００２５】
上記の発明によれば、格納されるプレゼンス情報の項目を限定することが可能になる。このため、特定項目のプレゼンス情報のみを、登録者端末装置から受け付けることが可能になる。
【００２６】
また、前記プレゼンス情報を前記状態通知者端末装置に格納するか否かを、前記プレゼンス情報にて示される内容に基づいて判定することが望ましい。
【００２７】
上記の発明によれば、状態通知者のプレゼンス情報として格納される内容を制限することが可能になる。このため、好ましくない内容のプレゼンス情報を状態通知者のプレゼンス情報として格納する防止可能になる。
【００２８】
また、前記プレゼンス情報を前記状態通知者端末装置に格納するか否かを、前記状態通知者端末装置に格納されているプレゼンス情報に基づいて判定することが望ましい。
【００２９】
上記の発明によれば、例えば、状態通知者端末装置に格納されているプレゼンス情報が重要な情報であったときに、その重要な情報を更新してしまうことを防止可能となる。
【００３０】
また、前記受け付けられた使用者識別情報に基づく前記プレゼンス情報を前記情報管理部に格納するか否かの判定と、前記受け付けられた項目情報に基づく前記プレゼンス情報を前記情報管理部に格納するか否かの判定と、前記受け付けられたプレゼンス情報にて示される内容に基づく前記プレゼンス情報を前記情報管理部に格納するか否かの判定と、前記格納されているプレゼンス情報に基づく前記プレゼンス情報を前記情報管理部に格納するか否かの判定とを、任意に組み合わせて、前記プレゼンス情報を格納するか否かが判定されることが望ましい。
【００３１】
上記の発明によれば、プレゼンス情報を情報管理部に格納するか否かを、より適確に判断することが可能になる。
【００３２】
また、本発明のプログラムは、状態通知者のプレゼンス情報を格納する情報管理部と、前記プレゼンス情報を出力しかつ前記状態通知者と異なる登録者にて使用される登録者端末装置と、に接続されるコンピュータに、情報登録管理処理を実行させるプログラムであって、前記登録者端末装置から前記プレゼンス情報を受け付ける情報受付処理と、前記プレゼンス情報が受け付けられると、その受け付けられたプレゼンス情報を、前記情報管理部に格納する情報登録処理と、を含む情報登録管理処理を、前記コンピュータに実行させる。
【００３３】
上記の発明によれば、上記情報登録管理方法をコンピュータに実行させることが可能になる。
【発明の効果】
【００３４】
本発明によれば、プレゼンスサービスシステムの用途を広げることが可能になる。
【発明を実施するための最良の形態】
【００３５】
以下、本発明の実施例について図面を参照して詳細に説明する。
【００３６】
図１は、本発明の第１実施例の状態通知者端末装置を含むプレゼンスサービスシステムを示すブロック図である。
【００３７】
図１において、本プレゼンスサービスシステムは、状態通知者端末装置１００と、監視者端末装置２００と、プレゼンスサービス部３００と、登録者端末装置４００とを含む。
【００３８】
状態通知者端末装置１００は、プレゼンス情報管理部１１０と、プレゼンス情報登録部１２０とを含む。プレゼンス情報登録部１２０は、登録情報受付部１２１と、登録者管理部部１２２と、公開プレゼンス項目管理部１２３と、情報登録部１２４とを含む。
【００３９】
状態通知者端末装置１００は、直接的または間接的に監視者端末装置２００と接続され、また、直接的または間接的に登録者端末装置４００と接続される。
【００４０】
状態通知者端末装置１００は、例えばコンピュータであり、状態通知者（プレゼンティティ）にて使用される。状態通知者端末装置１００は、状態通知者から状態通知者のプレゼンス情報（状態情報）を受け付けると、その受け付けられた状態通知者のプレゼンス情報をプレゼンス情報管理部１１０に格納する。
【００４１】
本実施例では、状態通知者端末装置１００は、状態通知者から、状態通知者のプレゼンス情報を項目ごとに受け付けると、その受け付けられたプレゼンス情報を項目ごとにプレゼンス情報管理部１１０に格納する。
【００４２】
監視者端末装置２００は、例えばコンピュータであり、監視者（ウォッチャ）にて使用される。監視者端末装置２００は、監視対象の状態通知者端末装置を示したバディリストを用いて、監視対象の状態通知者端末装置に格納されているプレゼンス情報を取得する。
【００４３】
プレゼンスサービス部３００は、監視者端末装置２００のバディリストに示された状態通知者端末装置から監視者端末装置２００に、その状態通知者端末装置に格納されているプレゼンス情報を提供する。
【００４４】
なお、本プレゼンスサービスシステムが、プレゼンスサーバを用いた集中管理方式のプレゼンスサービスシステムであると、プレゼンスサービス部３００がプレゼンスサーバとなる。
【００４５】
また、本プレゼンスサービスシステムが、プレゼンスサーバを用いない分散管理方式のプレゼンスサービスシステムであると、プレゼンスサービス部３００の機能は、状態通知者端末装置１００と監視者端末装置２００とに分散される。
【００４６】
登録者端末装置４００は、例えばコンピュータであり、状態通知者と異なる第三者（登録者）にて使用される。登録者端末装置４００は、第三者にて提供された第三者情報（状態通知者に関するプレゼンス情報）を、状態通知者端末装置１００に出力する。
【００４７】
なお、本実施例では、登録者端末装置４００は、第三者情報と、第三者を識別するための第三者識別情報（使用者識別情報）と、状態通知者のプレゼンス情報の項目を示す項目情報と、を含む登録依頼を、状態通知者端末装置１００に出力する。
【００４８】
プレゼンス情報管理部１１０は、状態通知者のプレゼンス情報を項目ごとに格納する。
【００４９】
プレゼンス情報登録部１２０は、登録者端末装置４００から第三者情報を受け付けると、その受け付けられた第三者情報を、状態通知者のプレゼンス情報として、プレゼンス情報管理部１１０に格納する。
【００５０】
登録情報受付部１２１は、登録者端末装置４００から出力された登録依頼を受け付ける。
【００５１】
登録情報受付部１２１は、その受け付けられた登録依頼に含まれる第三者識別情報を登録者管理部１２２に出力し、また、その受け付けられた登録依頼に含まれる項目情報を公開プレゼンス項目管理部１２３に出力する。
【００５２】
登録者管理部１２２は、第三者識別情報を受け付けると、その受け付けられた第三者識別情報に基づいて、第三者情報をプレゼンス情報管理部１１０に格納するか否かを判定する。
【００５３】
具体的には、登録者管理部１２２は、第三者識別情報にて識別される第三者が、第三者情報を状態通知者のプレゼンス情報として格納することを許可されているか否かを判定する。
【００５４】
例えば、登録者管理部１２２は、登録者情報格納部１２２ａと、登録者判定部１２２ｂとを含む。
【００５５】
登録者情報格納部１２２ａは、第三者情報を状態通知者のプレゼンス情報として格納することが許可されている第三者を示す登録者情報を格納する。
【００５６】
登録者判定部１２２ｂは、第三者識別情報にて識別される第三者が第三者情報を状態通知者のプレゼンス情報として格納することを許可されているか否かを、換言すると、第三者情報をプレゼンス情報管理部１１０に格納するか否かを、登録情報受付部１２１から受け付けられた第三者識別情報と、登録者情報格納部１２２ａに格納された登録者情報と、に基づいて判定する。
【００５７】
具体的には、登録者判定部１２２ｂは、第三者識別情報が登録者情報格納部１２２ａに登録者情報として格納されていると、第三者情報をプレゼンス情報管理部１１０に格納すると判定し、一方、第三者識別情報が登録者情報格納部１２２ａに登録者情報として格納されていないと、第三者情報をプレゼンス情報管理部１１０に格納しないと判定する。登録者判定部１２２ｂは、その判定結果を、登録情報受付部１２１に出力する。
【００５８】
公開プレゼンス項目管理部１２３は、項目情報を受け付けると、その項目情報に基づいて、第三者情報を前記情報管理部に格納するか否かを判定する。
【００５９】
具体的には、公開プレゼンス項目管理部１２３は、項目情報にて示された項目の状態通知者のプレゼンス情報として、第三者情報を格納することが許可されているか否かを判定する。
【００６０】
例えば、公開プレゼンス項目管理部１２３は、登録項目格納部１２３ａと、項目判定部１２３ｂとを含む。
【００６１】
登録項目格納部１２３ａは、第三者情報を状態通知者のプレゼンス情報として格納することが許可されている項目を示す登録項目情報を格納する。
【００６２】
項目判定部１２３ｂは、項目情報にて示された項目の状態通知者のプレゼンス情報として、第三者情報を格納することが許可されているか否かを、換言すると、第三者情報をプレゼンス情報管理部１１０に格納するか否かを、登録情報受付部１２１から受け付けられた項目情報と、登録項目格納部１２３ａに格納された登録項目情報と、に基づいて判定する。
【００６３】
具体的には、項目判定部１２３ｂは、項目情報が登録項目情報として登録項目格納部１２３ａに格納されていると、第三者情報をプレゼンス情報管理部１１０に格納すると判定し、一方、項目情報が登録項目情報として登録項目格納部１２３ａに格納されていないと、第三者情報をプレゼンス情報管理部１１０に格納しないと判定する。項目判定部１２３ｂは、その判定結果を、登録情報受付部１２１に出力する。
【００６４】
登録情報受付部１２１は、登録者管理部１２２および公開プレゼンス項目管理部１２３から、第三者情報をプレゼンス情報管理部１１０に格納する旨の判定結果を受け付けると、第三者情報および項目情報を情報登録部１２４に通知する。
【００６５】
情報登録部１２４は、登録情報受付部１２１から第三者情報および項目情報を受け付けると、その第三者情報を、その項目情報にて示された項目の状態通知者のプレゼンス情報として、プレゼンス情報管理部１１０に格納する。
【００６６】
次に、動作を説明する。
【００６７】
登録情報受付部１２１は、登録者端末装置４００から登録依頼を受け付けると、その登録依頼に含まれている第三者識別情報を登録者管理部１２２に出力し、また、その登録依頼に含まれている項目情報を公開プレゼンス項目管理部１２３に出力する。
【００６８】
登録者管理部１２２の登録者判定部１２２ｂは、第三者識別情報を受け付けると、その第三者識別情報が登録者情報格納部１２２ａに登録者情報として格納されているか否かを判定する。
【００６９】
登録者判定部１２２ｂは、その第三者識別情報が登録者情報格納部１２２ａに登録者情報として格納されていると、第三者情報をプレゼンス情報管理部１１０に格納すると判定し、一方、その第三者識別情報が登録者情報格納部１２２ａに登録者情報として格納されていないと、第三者情報をプレゼンス情報管理部１１０に格納しないと判定する。
【００７０】
登録者管理部１２２は、その判定結果を、登録情報受付部１２１に出力する。
【００７１】
一方、公開プレゼンス項目管理部１２３の項目判定部１２３ｂは、項目情報を受け付けると、その項目情報が登録項目情報として登録項目格納部１２３ａに格納されているか否かを判定する。
【００７２】
項目判定部１２３ｂは、その項目情報が登録項目情報として登録項目格納部１２３ａに格納されていると、第三者情報をプレゼンス情報管理部１１０に格納すると判定し、一方、その項目情報が登録項目情報として登録項目格納部１２３ａに格納されていないと、第三者情報をプレゼンス情報管理部１１０に格納しないと判定する。
【００７３】
公開プレゼンス項目管理部１２３は、その判定結果を、登録情報受付部１２１に出力する。
【００７４】
登録情報受付部１２１は、登録者管理部１２２および公開プレゼンス項目管理部１２３から、第三者情報をプレゼンス情報管理部１１０に格納する旨の判定結果を受け付けると、第三者情報および項目情報を情報登録部１２４に通知する。
【００７５】
情報登録部１２４は、登録情報受付部１２１から第三者情報および項目情報を受け付けると、その第三者情報を、その項目情報にて示された項目の状態通知者のプレゼンス情報として、プレゼンス情報管理部１１０に格納する。
【００７６】
プレゼンス情報管理部１１０に格納された第三者情報は、状態通知者のプレゼンス情報として、プレゼンスサービス部３００にて、監視者端末装置２００に通知される。
【００７７】
本実施例によれば、登録者端末装置４００から出力された情報が、状態通知者のプレゼンス情報として、状態通知者端末装置１００のプレゼンス情報管理部１１０に格納される。
【００７８】
このため、登録者端末装置４００から出力された情報が、情報通知者と異なる第三者にて提供された情報であっても、その情報が、情報通知者に関するプレゼンス情報として格納される。その結果、状態通知者のプレゼンス情報が、状態通知者にて提供可能な情報に限られなくなる。
【００７９】
したがって、プレゼンスサービスシステムが状態通知者端末装置１００を含めば、プレゼンスサービスシステムの用途を広げることが可能になる。
【００８０】
例えば、状態通知者端末装置１００を含むプレゼンスサービスシステムを、複数のレストランの状態を通知するためのシステムとして用いることが可能になる。
【００８１】
具体的には、まず、「レストラン街」の管理者が、「レストラン街」という架空の状態通知者用の状態通知者端末装置１００を、プレゼンスサービスシステムに設けられる。
【００８２】
続いて、「レストラン街」の管理者が、「レストラン街」のプレゼンス情報の各項目を、その「レストラン街」に含まれる各レストランに割り当てる。
【００８３】
各レストランの管理者は、自己に割り当てられた項目のプレゼンス情報として、自己のレストランの混み具合およびサービス状況を、登録者端末装置４００を介して、プレゼンス情報管理部１１０に登録する。
【００８４】
この場合、監視者は、「レストラン街」という１つの状態通知者を監視するだけで、そのレストラン街に含まれる全てのレストランの状態を監視することが可能になる。
【００８５】
なお、従来のプレゼンスサービスでは、全てのレストランの状況を監視するためには、監視者は、全てのレストランを監視対象として設定しなければならなかった。よって、監視者が、全てのレストランを監視対象として正確に特定する必要があった。
【００８６】
しかしながら、上記の場合、監視者は、「レストラン街」という単一の管理対象だけ監視していれば、多くの情報を得ることができる。
【００８７】
また、「レストラン街」の管理者が、そのプレゼンス項目を適宜追加または削除すれば、監視者に通知するプレゼンス項目（この場合、レストラン）を簡便に管理することが可能となる。
【００８８】
また、本実施例では、判定部としての登録者管理部１２２および公開プレゼンス項目管理部１２３が、登録情報受付部１２１にて受け付けられた第三者情報をプレゼンス情報管理部１１０に格納するか否かを判定し、情報登録部１２４は、第三者情報をプレゼンス情報管理部１１０に格納すると判定されると、第三者情報をプレゼンス情報管理部１１０に格納する
この場合、状態通知者のプレゼンス情報として格納される第三者情報を限定することが可能となる。このため、不要な第三者情報を状態通知者のプレゼンス情報として格納することを防止可能になる。
【００８９】
また、本実施例では、登録者管理部１２２は、第三者情報をプレゼンス情報管理部１１０に格納するか否かを、登録情報受付部１２１にて受け付けられた第三者識別情報に基づいて判定する。
【００９０】
この場合、第三者情報を状態通知者のプレゼンス情報として格納する第三者を限定することが可能になる。このため、登録権限のない第三者が状態通知者のプレゼンス情報を登録することを防止可能となる。
【００９１】
また、本実施例では、公開プレゼンス項目管理部１２３は、第三者情報をプレゼンス情報管理部１１０に格納するか否かを、登録情報受付部１２１にて受け付けられた項目情報に基づいて判定する。
【００９２】
この場合、第三者情報を状態通知者のプレゼンス情報として格納する項目を限定することが可能になる。このため、特定項目のプレゼンス情報のみを、登録者端末装置から受け付けることが可能になる。
【００９３】
また、本実施例では、情報登録部１２４は、登録者管理部１２２および公開プレゼンス項目管理部１２３が、第三者情報をプレゼンス情報管理部１１０に格納すると判定すると、第三者情報をプレゼンス情報管理部１１０に格納する。
【００９４】
この場合、第三者情報をプレゼンス情報管理部１１０に格納するか否かの判定が、複数種類の判定結果に基づいて実行される。このため、その判定精度を向上させることが可能になる。
【００９５】
なお、プレゼンス情報登録部１２０が、判定部として、登録者管理部１２２と公開プレゼンス項目管理部１２３のいずれか一方のみを有し、登録情報受付部１２１が、その判定部が第三者情報をプレゼンス情報管理部１１０に格納すると判断した場合に、第三者情報および項目情報を情報登録部１１０に出力してもよい。
【００９６】
次に、本発明の第２実施例を説明する。
【００９７】
図２は、第２実施例の状態通知者端末装置を含むプレゼンスサービスシステムを示すブロック図である。なお、図２において、図１に示したものと同一のものには同一符号を付してある。
【００９８】
第２実施例では、第１実施例に対して登録データ内容管理部１２５が付加されている。
【００９９】
以下、第１実施例と異なる点を中心に、第２実施例を説明する。
【０１００】
状態通知者端末装置１００ａは、プレゼンス情報管理部１１０と、プレゼンス情報登録部１２０ａとを含む。
【０１０１】
プレゼンス情報登録部１２０ａは、登録情報受付部１２１ａと、登録者管理部１２２と、公開プレゼンス項目管理部１２３と、情報登録部１２４と、登録データ内容管理部１２５とを含む。
【０１０２】
登録情報受付部１２１ａは、登録者端末装置４００から登録依頼を受け付けると、その登録依頼に含まれる第三者識別情報を登録者管理部１２２に出力し、その登録依頼に含まれる項目情報を公開プレゼンス項目管理部１２３に出力し、また、その登録依頼に含まれる第三者情報を、登録データ内容管理部１２５に出力する。
【０１０３】
登録データ内容管理部１２５は、第三者情報を受け付けると、第三者情報をプレゼンス情報管理部１１０に格納するか否かを、その第三者情報にて示される内容に基づいて判定する。例えば、登録データ内容管理部１２５は、判定条件格納部（不図示）と、内容判定部（不図示）とを含む。
【０１０４】
判定条件格納部は、所定の言葉を格納する。
【０１０５】
内容判定部は、登録情報受付部１２１ａから受け付けた第三者情報が、判定条件格納部に格納された所定の言葉を含んでいると、第三者情報をプレゼンス情報管理部１１０に格納すると判定し、一方、その第三者情報がその所定の言葉を含んでいないと、第三者情報をプレゼンス情報管理部１１０に格納しないと判定する。
【０１０６】
登録データ内容管理部１２５は、その判定結果を、登録情報受付部１２１ａに出力する。
【０１０７】
登録情報受付部１２１ａは、登録者管理部１２２、公開プレゼンス項目管理部１２３および登録データ内容管理部１２５から、第三者情報をプレゼンス情報管理部１１０に格納する旨の判定結果を受け付けると、第三者情報および項目情報を情報登録部１２４に通知する。
【０１０８】
本実施例によれば、登録データ内容管理部１２５は、第三者情報をプレゼンス情報管理部１１０に格納するか否かを、第三者情報にて示される内容に基づいて判定する。
【０１０９】
この場合、状態通知者のプレゼンス情報として格納される内容を制限することが可能になる。このため、好ましくない内容の第三者情報を状態通知者のプレゼンス情報として格納する防止可能になる。
【０１１０】
なお、プレゼンス情報登録部１２０ａが、判定部として、登録者管理部１２２、公開プレゼンス項目管理部１２３および登録データ内容管理部１２５のいずれか１つまたはそれらのうちの２つのみを有し、その判定部が第三者情報をプレゼンス情報管理部１１０に格納すると判断した場合に、登録情報受付部１２１ａが、第三者情報および項目情報を情報登録部１１０に出力してもよい。
【０１１１】
次に、本発明の第３実施例を説明する。
【０１１２】
図３は、第３実施例の状態通知者端末装置を含むプレゼンスサービスシステムを示すブロック図である。なお、図３において、図２に示したものと同一のものには同一符号を付してある。
【０１１３】
第３実施例では、第２実施例の登録者管理部１２２、公開プレゼンス項目管理部１２３、および、登録データ内容管理部１２５を統合した管理部１２６が設けられている。
【０１１４】
以下、第２実施例と異なる点を中心に、第３実施例を説明する。
【０１１５】
状態通知者端末装置１００ｂは、プレゼンス情報管理部１１０と、プレゼンス情報登録部１２０ｂとを含む。プレゼンス情報登録部１２０ｂは、登録情報受付部１２１ａと、情報登録部１２４と、管理部１２６とを含む。管理部１２６は、登録者管理部１２２と、公開プレゼンス項目管理部１２３と、登録データ内容管理部１２５とを含む。
【０１１６】
管理部１２６は、例えば、管理者によって設定された統合指示に応じて、登録者管理部１２２、公開プレゼンス項目管理部１２３、および、登録データ内容管理部１２５とを適宜組み合わせて判定部を生成し、その判定部の判定結果を登録情報受付部１２１ａに出力する。
【０１１７】
その判定部が第三者情報をプレゼンス情報管理部１１０に格納すると判断した場合に、登録情報受付部１２１ａは、第三者情報および項目情報を情報登録部１１０に出力する。
【０１１８】
よって、第３実施例では、より詳細な判定が可能になる。
【０１１９】
なお、統合の組み合わせは自由であり、登録者管理部１２２と公開プレゼンス項目管理部１２３とが組み合わされてもよいし、登録者管理部１２２と登録データ内容管理部１２５が組み合わされてもよい。
【０１２０】
次に、本発明の第４実施例を説明する。
【０１２１】
図４は、第４実施例の状態通知者端末装置を含むプレゼンスサービスシステムを示すブロック図である。なお、図４において、図３に示したものと同一のものには同一符号を付してある。
【０１２２】
第４実施例では、第３実施例に対して登録情報管理部１２７が付加されている。
【０１２３】
以下、第３実施例と異なる点を中心に、第４実施例を説明する。
【０１２４】
状態通知者端末装置１００ｃは、プレゼンス情報管理部１１０と、プレゼンス情報登録部１２０ｃとを含む。プレゼンス情報登録部１２０ｃは、登録情報受付部１２１ｂと、情報登録部１２４と、管理部１２６ａとを含む。管理部１２６ａは、登録者管理部１２２と、公開プレゼンス項目管理部１２３と、登録データ内容管理部１２５と、登録情報管理部１２７とを含む。
【０１２５】
登録情報受付部１２１ｂは、登録者端末装置４００から登録依頼を受け付けると、その登録依頼に含まれる第三者識別情報を登録者管理部１２２に出力し、その登録依頼に含まれる項目情報を公開プレゼンス項目管理部１２３および登録情報管理部１２７に出力し、その登録依頼に含まれる第三者情報を、登録データ内容管理部１２５に出力する。
【０１２６】
登録情報管理部１２７は、項目情報を受け付けると、プレゼンス情報管理部１１０に格納されている状態通知者のプレゼンス情報に基づいて、第三者情報をプレゼンス情報管理部１１０に格納するか否かを判定する。
【０１２７】
例えば、登録情報管理部１２７は、状態通知者のプレゼンス情報として、重要である旨のプレゼンス情報が、プレゼンス情報管理部１１０に格納されていると、第三者情報をプレゼンス情報管理部１１０に格納しないと判定し、一方、状態通知者のプレゼンス情報として、重要である旨のプレゼンス情報が、プレゼンス情報管理部１１０に格納されていないと、第三者情報をプレゼンス情報管理部１１０に格納すると判定する。
【０１２８】
登録情報管理部１２７は、その判定結果を、登録情報受付部１２１ｂに出力する。
【０１２９】
管理部１２６ａは、例えば、管理者によって設定された統合指示に応じて、登録者管理部１２２、公開プレゼンス項目管理部１２３、登録データ内容管理部１２５、および、登録情報管理部１２７とを適宜組み合わせて判定部を生成し、その判定部の判定結果を登録情報受付部１２１ａに出力する。
【０１３０】
その判定部が第三者情報をプレゼンス情報管理部１１０に格納すると判断した場合に、登録情報受付部１２１ｂは、第三者情報および項目情報を情報登録部１１０に出力する。
【０１３１】
よって、第４実施例では、より詳細な判定が可能になる。なお、統合の組み合わせは自由である。
【０１３２】
本実施例によれば、登録情報管理部１２７は、第三者情報をプレゼンス情報管理部１１０に格納するか否かを、プレゼンス情報管理部１１０に格納されている状態通知者のプレゼンス情報に基づいて判定する。
【０１３３】
この場合、例えば、プレゼンス情報管理部１１０に格納されている状態通知者のプレゼンス情報が重要な情報であったときに、その重要な情報を第三者情報に更新してしまうことを防止可能となる。
【０１３４】
また、本実施例では、管理部１２６ａは、第三者識別情報に基づく第三者情報を格納するか否かの判定と、項目情報に基づく第三者情報を格納するか否かの判定と、第三者情報にて示される内容に基づく第三者情報を格納するか否かの判定と、状態通知者のプレゼンス情報に基づく第三者情報を格納するか否かの判定とを、任意に組み合わせて、第三者情報を格納するか否かを判定する。
【０１３５】
情報登録部１２４は、管理部１２６ａが第三者情報をプレゼンス情報管理部１１０に格納すると判定すると、第三者情報をプレゼンス情報管理部１１０に格納する。この場合、より詳細な判定が可能になる。
【０１３６】
次に、本発明の第５実施例を説明する。
【０１３７】
図５は、第５実施例の状態通知者端末装置を含むプレゼンスサービスシステムを示すブロック図である。なお、図５において、図１に示したものと同一のものには同一符号を付してある。
【０１３８】
第５実施例は、登録者管理部１２２ｃが外部の認証システム５００と接続されている点において、第１実施例と異なる。
【０１３９】
登録者管理部１２２ｃは、第三者識別情報を受け付けると、その第三者情報を認証システム５００に出力する。
【０１４０】
認証システム５００は、第三者識別情報を受け付けると、その第三者識別情報にて識別される第三者が予めプレゼンス情報登録者として登録されているか否か確認し、その確認結果を登録者管理部１２２ｃに出力する。
【０１４１】
登録者管理部１２２ｃは、認証システム５００の確認結果が、第三者識別情報にて識別される第三者が予めプレゼンス情報登録者として登録されている旨を示し、かつ、自らが、第三者識別情報にて識別される第三者が第三者情報を状態通知者のプレゼンス情報として格納することを許可されていると判定した場合、第三者情報をプレゼンス情報管理部１１０に格納すると判定する。
【０１４２】
この場合、第三者の認証を、より強固に行うことが可能となる。なお、第２ないし４実施例において、登録者管理部１２２の代わりに、認証システム５００と接続される登録者管理部１２２ｃが用いられてもよい。
【０１４３】
なお、上記各実施例では、プレゼンス情報登録部が、状態通知者端末装置内に設けられている。しかしながら、各実施例において、プレゼンス情報登録部が、状態通知者端末装置内に設けられず、プレゼンス情報登録サーバとして、状態通知者端末装置および登録者端末装置と接続されてもよい。
【０１４４】
図６は、第４実施例のプレゼンス情報登録部１２０ｃがプレゼンス情報登録サーバ（情報登録管理サーバ）６００内に設けられたプレゼンスサービスシステムを示したブロック図である。なお、図６において、図４に示したものと同一のものは同一符号を付してある。この場合、状態通知者端末装置１００ｅは、プレゼンス情報管理部１１０を含む。
【０１４５】
なお、プレゼンス情報登録サーバ６００内に設けられるプレゼンス情報登録部は、第４実施例のプレゼンス情報登録部１２０ｃに限らず、第１実施例のプレゼンス情報登録部１２０、第２実施例のプレゼンス情報登録部１２０ａ、第３実施例のプレゼンス情報登録部１２０ｂ、第５実施例のプレゼンス情報登録部１２０ｄでもよい。
【０１４６】
上記各実施例では、ある状態通知者の特定のプレゼンス項目への登録権限が第三者に公開され、その第三者がその公開された項目のプレゼンス情報を登録する。このため、状態通知者自身のプレゼンス情報として、第三者からの情報が、関係者（監視者）に通知される。
【０１４７】
したがって、上記各実施例では、状態通知者の特定のプレゼンス項目が、的確な登録権限の管理のもと、第三者に開放され、第三者がその項目のプレゼンス情報を自由に書き換えることを許可する。
【０１４８】
以上説明した各実施例において、図示した構成は単なる一例であって、本発明はその構成に限定されるものではない。
【０１４９】
例えば、各プレゼンス情報登録部としてコンピュータが用いられ、そのコンピュータが不図示のメモリ等の記録媒体に記録されたプログラムを読み取り、その読み取られたプログラムを実行して、プレゼンス情報登録部が有する各機能を実現してもよい。この場合、コンピュータに、プレゼンス情報登録部が有する各機能を実現させることが可能になる。
【０１５０】
なお、各実施例は、例えば、以下の分野で利用される。
１．公開情報のリアルタイムの配信サービス
２．広告配信
例えば、「ショッピングモール」のプレゼンス項目の中で、第三者による登録を公開するプレゼンス項目として、本日のお買い得情報の項目が設定され、シッピングモールの来場者に対して、リアルタイムでショッピングモール内のイベント情報（本日のお買い得情報）が通知される。
３．代表者による統合情報配信
例えば、「プロジェクトリーダ」のプレゼンス項目の中で、第三者による登録を公開するプレゼンス項目として、プロジェクトの状態および会議の情報が登録され、プロジェクト全体の状態が、プロジェクトメンバーにて共有される。
【図面の簡単な説明】
【０１５１】
【図１】本発明の第１実施例のプレゼンスサービスシステムを示したブロック図である。
【図２】本発明の第２実施例のプレゼンスサービスシステムを示したブロック図である。
【図３】本発明の第３実施例のプレゼンスサービスシステムを示したブロック図である。
【図４】本発明の第４実施例のプレゼンスサービスシステムを示したブロック図である。
【図５】本発明の第５実施例のプレゼンスサービスシステムを示したブロック図である。
【図６】本発明の他の実施例のプレゼンスサービスシステムを示したブロック図である。
【符号の説明】
【０１５２】
１００、１００ａ〜１００ｅ  状態通知者端末装置
１１０                      プレゼンス情報管理部
１２０、１２０ａ〜１２０ｄ  プレゼンス情報登録部
１２１、１２１ａ〜１２１ｂ  登録情報受付部
１２２、１２２ｃ            登録者管理部
１２２ａ                    登録者情報格納部
１２２ｂ                    登録者判定部
１２３                      公開プレゼンス項目管理部
１２３ａ                    登録項目格納部
１２３ｂ                    項目判定部
１２４                      情報登録部
１２５                      登録データ内容管理部
１２６、１２６ａ            管理部
１２７                      登録情報管理部
２００                      監視者端末装置
３００                      プレゼンスサービス部
４００                      登録者端末装置
５００                      認証システム
６００                      プレゼンス情報登録サーバ
【図１】
2006343837.tif 000003
【図２】
2006343837.tif 000004
【図３】
2006343837.tif 000005
【図４】
2006343837.tif 000006
【図５】
2006343837.tif 000007
【図６】
2006343837.tif 000008